(57)【要約】      （修正有）【課題】機器本体の前面部に設けられた操作部を開閉する蓋体の見栄えを良くする。【解決手段】操作部が設けられたフロントパネル３と、操作部を開閉する蓋体７と、蓋体７を、操作部を閉塞した位置に保持する保持機構５１とを備える。保持機構５１は、蓋体７の裏面側に設けられた係合片５２と、フロントパネル３に設けられ、係合片５２の先端部が係合される係合凹部５３ｅが形成された弾性保持部材５３とを有する。弾性保持部材５３は、蓋体７が操作部を閉塞しているとき、係合凹部５３ｅに係合片５２の先端部が係合し、蓋体７が押圧されることによって、係合片５２は、弾性保持部材５３を押圧し、係合凹部５３ｅとの係合力を弱め又は係合状態を解除し、蓋体７を回動可能な状態にする。【選択図】  図５
2004363951.tif 000002
【特許請求の範囲】
【請求項１】
前面部に操作部が設けられた機器本体と、
上記機器本体の前面部に設けられ、上記操作部を開閉する蓋体と、
上記蓋体を、上記機器本体の前面部に回動可能に支持する開閉機構と、
上記開閉機構によって回動支持された蓋体を、操作部を閉塞した位置に保持する保持機構とを備え、
上記保持機構は、上記蓋体の裏面側に設けられた係合片と、上記機器本体の前面部側に設けられ、上記係合片の先端部が係合される係合凹部が形成された弾性保持部材とを有し、
上記弾性保持部材は、上記蓋体が上記操作部を閉塞しているとき、上記係合凹部に上記係合片の先端部が係合し、上記蓋体が押圧されることによって、上記係合片は、上記弾性保持部材を押圧し、上記係合凹部との係合力を弱め又は係合状態を解除し、上記蓋体を回動可能な状態にする電子機器。
【請求項２】
上記開閉機構は、上記機器本体の上下何れか一方の側に設けられ、上記蓋体の裏面側に設けられた係合片は、上記開閉機構が設けられた側に設けられている請求項１記載の電子機器。
【請求項３】
上記開閉機構は、上記操作部を閉塞している蓋体が押圧されたとき、上記蓋体を、上記操作部を開放する方向に押圧する押圧部材を有する請求項２記載の電子機器。
【請求項４】
上記押圧部材は、上記蓋体を押圧する請求項３記載の電子機器。
【請求項５】
上記開閉機構は、上記蓋体の回動軸線方向に設けられた軸体に、上記蓋体を、操作部を開放する方向に付勢する付勢部材を有する請求項３記載の電子機器。
【請求項６】
上記弾性保持部材は、板バネであり、この板バネは、先端部に、上記係合片側に開放した係合凹部が形成されている請求項１記載の電子機器。
【発明の詳細な説明】
【０００１】
【発明の属する技術分野】
本発明は、機器本体の前面部に操作部が設けられると共に、この操作部を開閉する蓋体が設けられた電子機器に関する。
【０００２】
【従来の技術】
プラズマディスプレイパネルを用いた薄型ディスプレイは、プラズマディスプレイパネルからの発熱量が、液晶表示パネルよりも大きい等の理由により、多くの場合は、テレビジョン放送を受信するためのチューナが、薄型ディスプレイと別筐体となっている。
【０００３】
チューナを構成する筐体の前面には、操作部として、電源ボタン、チャンネル選択ボタン、音量調整ボタン等の種々の押しボタンが設けられている。この操作部は、通常、蓋体で閉塞され、使用時に限って開放される。
【０００４】
操作部を開閉する蓋体は、筐体前面部の底面側で回動可能に取り付けられており、保持機構によって、非使用時操作部を閉塞した状態に保持されている。この保持機構は、蓋体の裏面の先端側に、被係合片が設けられ、この係合部材が筐体の操作部側に設けられた所謂プッシュキャッチ型の係合部材に係合されることによって、蓋体が操作部を閉塞した状態に保持している。そして、係合部材は、操作部を閉塞した状態に保持された蓋体が押圧されることによって、被係合片との係合を解除し、蓋体を回動可能な状態にする。
【０００５】
なお、プッシュキャッチ型の係合部材としては、特許文献１に示すものがある。
【特許文献１】
公開実用平成３−３３１７２号公報
【０００６】
【発明が解決しようとする課題】
しかしながら、蓋体に設けられた被係合片が設けられた位置は、蓋体の裏面の先端側であり、蓋体が操作部を開放しているときに、ユーザによって視認される位置であるため、見栄えが良くない。
【０００７】
そこで、本発明は、機器本体の前面部に設けられた操作部を開閉する蓋体の見栄えを良くすることができる蓋体を、操作部を閉塞した位置に保持する保持機構を備えた電子機器を提供することを目的とする。
【０００８】
【課題を解決するための手段】
本発明に係る電子機器は、上述した課題を解決すべく、前面部に操作部が設けられた機器本体と、機器本体の前面部に設けられ、操作部を開閉する蓋体と、蓋体を、機器本体の前面部に回動可能に支持する開閉機構と、開閉機構によって回動支持された蓋体を、操作部を閉塞した位置に保持する保持機構とを備える。保持機構は、蓋体の裏面側に設けられた係合片と、機器本体の前面部側に設けられ、係合片の先端部が係合される係合凹部が形成された弾性保持部材とを有し、弾性保持部材は、蓋体が操作部を閉塞しているとき、係合凹部に係合片の先端部が係合し、蓋体が押圧されることによって、係合片は、弾性保持部材を押圧し、係合凹部との係合力を弱め又は係合状態を解除し、蓋体を回動可能な状態にする。これにより、本発明に係る電子機器は、従来のような蓋体が操作部を閉塞した状態に保持するための保持機構を構成する蓋体側に設けられた被係合片等が不要となり、蓋体が操作部を開放したときの見栄えを良くすることができる。
【０００９】
開閉機構は、機器本体の上下何れか一方の側に設け、蓋体の裏面側に設けられた係合片を、開閉機構が設けられた側に設け、係合片をユーザから隠すようにしてもよい。
【００１０】
また、開閉機構には、操作部を閉塞している蓋体が押圧されたとき、蓋体を、操作部を開放する方向に押圧する押圧部材を設けるようにし、蓋体の開放操作されたとき最初に押圧するようにして、蓋体の回動開始の契機としてもよい。この押圧部材は、例えば蓋体の基端側に設けられた開閉機構とは反対側の先端側を押圧するようにして、弱い押圧力で、蓋体を回動させるようにすることができる。
【００１１】
更に、蓋体の回動軸線方向に設けられた軸体に、蓋体を、操作部を開放する方向に付勢する付勢部材を設けるようにすることで、係合凹部と係合片との係合状態が解除された後、自動的に蓋体が操作部を開放する方向に回動させることができる。
【００１２】
保持機構を構成する弾性保持部材は、板バネで設けることができ、この板バネは、先端部に、係合片側に開放した係合凹部が形成されている。
【００１３】
【発明の実施の形態】
以下、本発明が適用されたチューナ装置について、図面を参照して説明する。図１に示すように、本発明が適用されたチューナ１は、プラズマディスプレイパネルを用いた薄型ディスプレイに用いるテレビジョン放送等を受信するためのものである。
【００１４】
このチューナ１は、図１に示すように、略矩形の筐体を構成する機器本体２を有する。この機器本体２の前面部には、フロントパネル３が設けられている。このフロントパネル３は、機器本体２の正面を構成するものであり、操作面となっている。フロントパネル３の操作面には、機器本体２の上面側に第１の操作部４が設けられている。この第１の操作部４は、チューナ１の基本的操作を行うための複数の押しボタン４ａで構成されており、例えば、電源ボタン、チャンネル選択ボタン、音量調整ボタン等で構成されている。また、第１の操作部４には、機器の動作状況を光で表示する表示部４ｂが設けられている。
【００１５】
また、フロントパネル３には、第１の操作部４の下側に、第２の操作部５が設けられている。第２の操作部５は、フロントパネル３の幅方向に亘って設けられた略矩形の凹部６の底面に設けられ、第１の操作部４より一段低い位置に第１の操作部４と並んで設けられている。第２の操作部５は、入出力ケーブルを接続するための複数のジャック５ａやメニュー選択を行うため等の複数の押しボタン５ｂが設けられている。ジャック５ａは、入出力ケーブルの接続孔であるから、内部に塵埃等の異物が侵入し接点に付着すると、電気的な接続不良が発生することがある。そこで、この第２の操作部５は、通常、凹部６の開口端と略同じ大きさの蓋体７によって閉塞されており、開閉機構１１によってフロントパネル３に図１中矢印Ａ１方向及びＡ２方向に回動可能に支持された蓋体７は、第２の操作部５の使用時に限って、第２の操作部５を開放する。
【００１６】
なお、第２の操作部５が設けられる凹部６の下側コーナ部には、蓋体７のヒンジを隠すための凹条部６ａが設けられている。また、凹部６の底面は、パネル８が取り付けられている。
【００１７】
図２に示すように、この蓋体７の開閉機構１１は、蓋体７をフロントパネル３に回動支持する回動支持部材１２を有する。この回動支持部材１２は、基体部１２ａを有し、この基体部１２ａには、筒状部１２ｂと、上記フロントパネル３に取り付けるための一対の弾性係合片１２ｃ，１２ｃが設けられている。筒状部１２ｂの一端には、蓋体７に固定される固定軸１２ｄが設けられている。この固定軸１２ｄは、蓋体７に固定された際回動しないように蓋体７に固定できるように断面非円形に形成されている。筒状部１２ｂは、内部にシリコンオイル等の緩衝剤が充填されており、周面に複数のフィンが設けられた固定軸１２ｄが取り付けられることによって、緩衝機構を構成している。したがって、筒状部１２ｂは、蓋体７の回動するとき、固定軸１２ｄに設けられたフィンと緩衝剤との作用により、蓋体７に固定された固定軸１２ｄに対して緩やかに回動する。また、筒状部１２ｂの他端には、筒状部１２ｂと共に固定軸１２ｄに対して回動する支軸１２ｅが設けられている。基体部１２ａに設けられた一対の弾性係合片１２ｃ，１２ｃは、内外方に向かって弾性変位し、先端部に外方に向かって係合突部１２ｆ，１２ｆが設けられている。
【００１８】
蓋体７の裏面の基端側には、凹部６の下側に形成された凹条部６ａに挿入される突条部７ａが設けられている。この突条部７ａは、凹条部６ａに蓋体７の取付時に挿入されることで、ユーザ側から蓋体７のヒンジが見えないようにしている。この蓋体７の突条部７ａには、筒状部１２ｂに設けられた固定軸１２ｄを固定する固定部１３ａと、支軸１２ｅが軸支される軸孔１３ｂが設けられている。固定部１３ａは、一対の回動規制片で構成され、断面が非円形の固定軸１２ｄを挟み込むことによって、固定軸１２ｄが回動しないように保持する。
【００１９】
また、フロントパネル３の凹部６の凹条部６ａには、回動支持部材１２の一対の弾性係合片１２ｃ，１２ｃが係合される係合孔１４が設けられている。
【００２０】
蓋体７の開閉機構１１は、ここでは上述のような回動支持部材１２を２つ用いて蓋体７をフロントパネル３に対して回動可能に支持する。具体的に、蓋体７のフロントパネル３への取付方法について説明すると、回動支持部材１２の筒状部１２ｂに設けられた支軸１２ｅが蓋体７の軸孔１３ｂに係合され、次いで、断面が非円形の固定軸１２ｄが固定部１３ａに固定され、これにより、回動支持部材１２は、蓋体７の下側に固定される。蓋体７の下側に固定された回動支持部材１２は、弾性係合片１２ｃ，１２ｃを互いに内方に変位させフロントパネル３の下側に設けられた係合孔１４に係合突部１２ｆを係合させることによって、フロントパネル３の下側に取り付けられる。回動支持部材１２によってフロントパネル３に取り付けられた蓋体７は、蓋体７の固定部１３ａに固定された固定軸１２ｄに対して筒状部１２ｂが回動することによって、フロントパネル３に対して緩やかに回動し、第２の操作部５を開閉する。ここで、ヒンジ部となる回動支持部材１２と係合孔１４の接続部は、蓋体７側の突条部７ａが凹部６側の凹条部６ａに挿入されることで、ユーザからは見えなくすることができ、見栄えを良くすることができる。
【００２１】
また、蓋体７の基端側両端部には、回動する蓋体７の回動軸線方向に軸体１５，１５が設けられ、この軸体１５，１５には、蓋体７を、第２の操作部５を開放する方向に付勢する付勢部材となる捻りコイルバネ１６，１６に巻装される。この捻りコイルバネ１６，１６は、コイル部が軸体１５，１５に巻装され、一方のアームが蓋体７の裏面に係合され、他方のアームがフロントパネル３に係合されることによって、蓋体７を第２の操作部５を開放する図１中矢印Ａ１方向に付勢する。
【００２２】
更に、フロントパネル３の第２の操作部５が設けられる凹部６の略中央であって、蓋体７の先端側を押圧できる位置には、蓋体７を、第２の操作部５を開放する方向に押圧する押圧部材２１が設けられている。この押圧部材２１は、図３及び図４に示すように、一端が開放されたケース２２と、このケースに対して進退可能に取り付けられる移動体２３と、ケース２２内に配設されて移動体２３をケース２２に対して突出する方向に付勢する付勢部材となるコイルバネ２４と、移動体２３に取り付けられ、この移動体２３の移動方向と略直交する方向に移動するカム部材２５とを有する。
【００２３】
ケース２２は、略矩形をなし、一端側に拡幅した拡幅部２８が形成され、この拡幅部２８に移動体２３を外部に臨ませるための開口部２６が設けられている。また、このケース２２の長手方向両側面には、フロントパネル３の凹部６に設けられた取付孔に取り付けるための取付片２７，２７が設けられている。ケース２２の底面には、移動体２３の移動方向及び移動領域をガイドするガイド溝２９が形成され、また、上面には、カム部材２５の移動を制御する制御突起３１が突設されている。制御突起３１は、移動体２３の移動方向に斜辺を有する略台形形状に形成されて、斜辺がカム部材２５のカム部３６と係合する際の係合ガイドと機能するように形成されている。
【００２４】
ケース２２に対して進退可能に取り付けられる移動体２３は、基体部３２を有し、この基体部３２の一端側には、蓋体７を押圧する押圧部３３が基体部３２に対して膨出して形成されている。また、基体部３２の底面には、ケース２２の底面に形成されたガイド溝２９に係合されるガイド突起３４が形成されている。ケース２２のガイド溝２９にガイド突起３４が係合された移動体２３は、ケース２２の開口部２６よりケース２２の内外方向である図４中矢印Ｂ１方向及びＢ２方向に直線移動する。また、基体部３２の上面には、移動体２３の移動方向とは直交する方向にカム部材２５の移動をガイドするガイド溝３５，３５が形成されている。
【００２５】
このような移動体２３は、ケース２２内に収納されるコイルバネ２４によって移動体２３をケース２２の開口部２６より突出する図４中矢印Ｂ２方向に付勢される。このコイルバネ２４は、ケース２２の背面に形成された図示しないバネ座によって一端が固定され、移動体２３の背面を図４中矢印Ｂ２方向に付勢する。
【００２６】
移動体２３の移動方向とは直交する図４中矢印Ｃ１方向及び矢印Ｃ２方向に移動可能に該移動体２３に取り付けられるカム部材２５は、一方の面に、ケース２２の上面に形成された制御突起３１が係合されるカム部３６が設けられ、他方の面に、移動体２３の上面に形成されたガイド溝３５，３５に係合されるガイド突起３７，３７が形成されている。
【００２７】
カム部材２５の一方の面に形成されるカム部３６は、略中央部に形成された中央突出部３８と、周囲に形成された側壁３９とによって、制御突起３１の移動通路４１を形成し、更に、複数の係合凹部３６ａ〜３６ｄを有する。具体的には、中央突出部３８には、移動体２３の押圧部３３側に、移動体２３を収納位置に保持するための第１の係合凹部３６ａが形成され、側壁３９の押圧部３３側には、第１の係合凹部３６ａに次いで制御突起３１が係合する第２の係合凹部３６ｂと、制御突起３１が第１の係合凹部３６ａ係合する前段で係合する第３の係合凹部３６ｃが形成されている。更に、側壁３９の押圧部３３と反対側には、移動体２３をケース２２から突出した突出位置に保持するための第４の係合凹部３６ｄが形成されている。また、中央突出部３８と側壁３９とで構成される移動通路を４１は、制御突起３１が第２の係合凹部３６ｂから第４の係合凹部３６ｄに移動する第１の通路４１ａと、第４の係合凹部３６ｄから第３の係合凹部３６ｃへ移動する第２の通路４１ｂとからなる。第１の通路４１ａにおいて、中央突出部３８の押圧部３３側の側面や押圧部３３と反対側の側壁３９の側面は、制御突起３１が第２の係合凹部３６ｂから第４の係合凹部３６ｄに移動する際のガイド部となり、また、第２の通路４１ｂにおいて、中央突出部３８の押圧部３３と反対側の側面や押圧部３３側の側壁の側面は、第４の係合凹部３６ｄから第３の係合凹部３６ｃへ移動する際のガイド部となる。
【００２８】
以上のように構成された押圧部材２１は、移動体２３がケース２２に収納された収納位置にあるとき、図４に示す状態にある。すなわち、ケース２２の上面に形成された制御突起３１は、カム部材２５のカム部の第１の係合凹部３６ａに係合した状態にある。したがって、コイルバネ２４によって図４中矢印Ｂ２方向に付勢されている移動体２３は、コイルバネ２４の付勢力によりケース２２より突出することなく、ケース２２に収納された状態ある。
【００２９】
押圧部３３を収納位置から突出位置に切り換えるため、移動体２３の押圧部３３が押圧されると、移動体２３は、コイルバネ２４の付勢力に抗して図４中矢印Ｂ１方向に直線移動し、制御突起３１は、カム部材２５を図４中矢印Ｃ１方向に直線移動させながら、中央突出部３８の第１の係合凹部３６ａから側壁の第２の係合凹部３６ｂに移動し係合する。ここで、移動体２３の押圧部３３を押圧する押圧力が解除されると、移動体２３は、コイルバネ２４の付勢力によって図４中矢印Ｂ２方向に移動し、制御突起３１は、移動通路４１の第１の通路４１ａを通って、カム部材２５を図４中矢印Ｃ２方向に移動させながら、第２の係合凹部３６ｂから第４の係合凹部３６ｄに移動し係合する。これにより、移動体２３の押圧部３３は、収納位置からケース２２の開口部２６より突出する突出位置に移動する。
【００３０】
また、突出位置にある押圧部３３を収納位置に切り換えるには、再度、移動体２３の押圧部３３が押圧される。すると、移動体２３は、コイルバネ２４の付勢力に抗して図４中矢印Ｂ１方向に直線移動し、制御突起３１は、コイルバネ２４の付勢力によって、移動通路４１の第２の通路４１ｂを通って、カム部材２５を図４中矢印Ｃ１方向に移動させながら、第４の係合凹部３６ｄから第３の係合凹部３６ｃに移動し係合する。ここで、移動体２３の押圧部３３を押圧する押圧力が解除されると、移動体２３は、コイルバネ２４の付勢力によって図４中矢印Ｂ２方向に移動し、制御突起３１は、第３の係合凹部３６ｃから第１の係合凹部３６ａに移動し係合する。これにより、移動体２３の押圧部３３は、ケース２２の開口部２６より突出した突出位置から収納位置に移動する。
【００３１】
以上のように構成される押圧部材２１は、図４に示すように、フロントパネル３の第２の操作部５が設けられる凹部６の略中央であって、蓋体７の先端側を押圧できる位置に形成された取付孔４２にケース２２が挿入され取付片２７が取付孔４２の周縁部に係合されることによって固定される。このとき、取付孔４２が底面に設けられた取付凹部４３にケース２２が収納される。また、押圧部材２１を構成する移動体２３の押圧部３３は、凹部６の底面に取り付けられたパネル８の開口部８ａより常に外部に臨まされ、蓋体７の裏面を押圧できるようになっている。
【００３２】
更に、以上のように構成された開閉機構１１によってフロントパネル３に回動支持される蓋体７は、図２に示すように、保持機構５１によって、第２の操作部５を閉塞した状態に保持される。この保持機構５１は、図５に示すように、蓋体７の裏面の基端側に形成された係合片５２と、フロントパネル３の裏面に設けられ、係合片５２が係合される弾性保持部材５３とを有する。
【００３３】
蓋体７の裏面に形成される係合片５２は、蓋体７の基端側に設けられた突条部７ａに蓋体７の基端側の略中央に蓋体７の主面と略直角をなすように略板状に形成されている。一方、フロントパネル３の凹部６の下側に形成された凹条部６ａの下側略中央部のコーナ部には、蓋体７側の係合片５２が挿通される貫通孔５４が形成されている。係合片５２は、蓋体７が上述の開閉機構１１を構成する回動支持部材１２によりフロントパネル３に取り付けられたとき、先端側がフロントパネル３の裏面側に臨まされる。
【００３４】
この係合片５２に係合される弾性保持部材５３は、図６に示すように、フロントパネル３の裏面幅方向の略中央に設けられる。弾性保持部材５３は、例えば板バネで形成されており、フロントパネル３の裏面に取り付けるための取付部５３ａと、取付部５３ａに連続し取付時に係合片５２側に折曲された状態となる略Ｌ字状の弾性変位部５３ｂと、弾性変位部５３ｂと連続しフロントパネル３への取付時蓋体７側に傾斜する係合ガイド部５３ｃと、係合ガイド部５３ｃに連続し取付時に係合片５２側に突出する突出部５３ｄと、突出部５３ｄに連続し係合片５２が係合される係合凹部５３ｅと、係合凹部５３ｅに連続し係合凹部５３ｅの開口端を広げるように形成された被押圧部５３ｆが形成されている。
【００３５】
取付部５３ａには、固定孔５３ｇが形成され、弾性保持部材５３は、この固定孔５３ｇにねじ等の固定部材５５が挿通され、更に、フロントパネル３の裏面に形成された止め部５６に固定部材５５が固定されることによって、フロントパネル３の裏面に取り付けられる。なお、取付部５３ａには、更に、フロントパネル３に位置決めして取り付けるための位置決め凹部５３ｈが複数形成されている。取付部５３ａに連続して形成される弾性変位部５３ｂは、フロントパネル３の裏面への取付時に蓋体７側に向くように折曲されており、蓋体７が第２の操作部５の閉塞方向に回動されるとき、係合片５２の先端部が接触され押圧されることで、蓋体７から離間する図６中矢印Ｄ方向に変位される。この弾性変位部５３ｂに連続して形成される係合ガイド部５３ｃは、蓋体７が第２の操作部５の閉塞方向に回動されるとき、係合片５２の先端部が接触し押圧される。係合ガイド部５３ｃに連続して形成される突出部５３ｄは、蓋体７側に、係合片５２の先端部が乗り上げやすいように滑らかな曲面をなすように突出して形成され、係合凹部５３ｅに係合した係合片５２の先端部を係止する。突出部５３ｄに連続した係合凹部５３ｅは、蓋体７が第２の操作部５を閉塞しているとき、係合片５２の先端部を係合保持する。更に、係合凹部５３ｅと連続した弾性保持部材５３の先端部は、係合凹部５３ｅの開口端を広げるように形成され、第２の操作部５を開放するとき、係合片５２の先端部が押圧できるように被押圧部５３ｆが形成されている。
【００３６】
以上のような保持機構５１は、蓋体７が第２の操作部５を開放しているとき、図５に示す状態にある。すなわち、蓋体７の主面部は、機器本体２の底面と略面一となるように回動されており、蓋体７の主面部に対して略直角に形成された係合片５２は、機器本体２の底面に略直角な状態にあり、貫通孔５４より全体が外部に臨んだ状態にある。なお、貫通孔５４より外部に臨まれた係合片５２は、凹部６の底面に取り付けられたパネル８の内側に位置するため、ユーザから見えることはない。なお、係合片５２は、蓋体７が第２の操作部５を開放しているとき、フロントパネル３の裏面に突き当たることで、蓋体７の回動範囲を規制する回動規制板として用いてもよい。
【００３７】
そして、蓋体７が図５中矢印Ａ２方向に回動されると、蓋体７の係合片５２は、先ず、先端部が係合ガイド部５３ｃに接触し押圧する。すると、弾性変位部５３ｂが図５中矢印Ｄ方向に弾性変位し、更に、蓋体７が図５中矢印Ａ２方向に回動することで、図７に示すように、係合片５２の先端部は、突出部５３ｄを乗り上げ係合凹部５３ｅに係合する。係合片５２の先端部が係合凹部５３ｅに係合することで、蓋体７は、第２の操作部５を閉塞した状態に保持される。
【００３８】
第２の操作部５を開放するときには、蓋体７は、最初に、図７中矢印Ａ２方向に押圧される。すると、係合片５２の先端部は、弾性保持部材５３の先端部の被押圧部５３ｆを押圧し、弾性変位部５３ｂを図７中矢印Ｄ方向に弾性変位させる。これによって、係合片５２の先端部と係合凹部５３ｂとの係合力が弱まり又は係合状態が解除され、蓋体７は、第２の操作部５を開放する図７中矢印Ａ１方向に回動可能な状態となる。
【００３９】
次に、ユーザが蓋体７を開閉したときの一連の動作について説明する。先ず、蓋体７が第２の操作部５を閉塞しているとき、図７に示すように、係合片５２の先端部は、係合凹部５３ｅに係合した状態にあり、蓋体７は、第２の操作部５を閉塞した状態に保持されている。このとき、押圧部材２１は、図４に示すように、移動体２３がケース２２に収納された収納位置にあり、押圧部３３は、蓋体７の裏面を押圧していない状態にある。すなわち、ケース２２の上面に形成された制御突起３１は、カム部材２５のカム部３６の第１の係合凹部３６ａに係合した状態にあり、コイルバネ２４によって図４中矢印Ｂ２方向に付勢されている移動体２３は、コイルバネ２４の付勢力によりケース２２より突出することなく、ケース２２に収納された位置にあり、蓋体７の裏面を押圧していない。
【００４０】
そして、ユーザが第２の操作部５を開放するため、蓋体７の回動操作をするとき、図７に示すように、ユーザは、蓋体７を図７中矢印Ａ２方向に押圧する。すると、蓋体７の裏面は、先端側で、押圧部材２１を構成する移動体２３で収納位置にある押圧部３３を押圧する。すると、図４に示すように、押圧部材２１の移動体２３は、コイルバネ２４の付勢力に抗して図４中矢印Ｂ１方向に直線移動し、制御突起３１は、カム部材２５を図４中矢印Ｃ１方向に直線移動させながら、中央突出部３８の第１の係合凹部３６ａから側壁の第２の係合凹部３６ｂに移動し係合する。
【００４１】
このとき、蓋体７の係合片５２の先端部は、弾性保持部材５３の先端部の被押圧部５３ｆを押圧し、弾性変位部５３ｂを図７中矢印Ｄ方向に弾性変位させ、係合凹部５３ｅとの係合状態が解除又は係合力が弱まり、蓋体７を回動可能な状態とする。
【００４２】
次いで、移動体２３の押圧部３３を押圧する押圧力が解除されると、移動体２３は、コイルバネ２４の付勢力によって図４中矢印Ｂ２方向に移動し、制御突起３１は、移動通路４１の第１の通路４１ａを通って、カム部材２５を図４中矢印Ｃ２方向に移動させながら、第２の係合凹部３６ｂから第４の係合凹部３６ｄに移動し係合する。これにより、移動体２３の押圧部３３は、収納位置からケース２２の開口部２６より突出する突出位置に移動する。
【００４３】
押圧部３３が収納位置から突出位置に移動するとき、押圧部３３は、蓋体７の裏面で先端側を押圧する。押圧部３３が蓋体７の裏面を押圧することで、蓋体７には、図７中矢印Ａ１方向に押圧力が加わることになる。すると、図２に示す回動支持部材１２によってフロントパネル３に回動支持されている蓋体７は、係合片５２の先端部と係合凹部５３ｅとの係合状態が解除され又は係合力が弱まっていることから、押圧部材２１の押圧部３３による押圧力で蓋体７が回動を開始する契機となる。ここで、押圧部材２１は、係合片５２と係合凹部５３ｅとの係合位置から離れた蓋体７の先端側を押圧することから、比較的弱い押圧力で、蓋体７の回動開始の契機を作ることができる。次いで、蓋体７は、回動する蓋体７の回動軸線方向に形成された軸体１５，１５に取り付けられた捻りコイルバネ１６，１６の図１中矢印Ａ１方向の付勢力によって、第２の操作部５を開放した位置まで自動的に回動され、図５に示す状態となる。
【００４４】
第２の操作部５を閉塞する場合、蓋体７は、捻りコイルバネ１６，１６の付勢力に抗して図５中矢印Ａ２方向に回動される。すると、最初に、蓋体７の裏面は、先端側で、押圧部材２１を構成する移動体２３で突出位置にある押圧部３３を押圧する。押圧部３３が押圧されると、図４に示すように、移動体２３は、コイルバネ２４の付勢力に抗して図４中矢印Ｂ１方向に直線移動し、制御突起３１は、コイルバネ２４の付勢力によって、移動通路４１の第２の通路４１ｂを通って、カム部材２５を図４中矢印Ｃ１方向に移動させながら、第４の係合凹部３６ｄから第３の係合凹部３６ｃに移動し係合する。ここで、移動体２３の押圧部３３を押圧する押圧力が解除されると、移動体２３は、コイルバネ２４の付勢力によって図４中矢印Ｂ２方向に移動し、制御突起３１は、第３の係合凹部３６ｃから第１の係合凹部３６ａに移動し係合する。これにより、移動体２３の押圧部３３は、ケース２２の開口部２６より突出した突出位置から収納位置に移動する。
【００４５】
これと共に、図５に示すように、蓋体７の係合片５２は、先端部が係合ガイド部５３ｃに接触し押圧する。すると、弾性変位部５３ｂが図５中矢印Ｄ方向に弾性変位し、更に、蓋体７が図５中矢印Ａ２方向に回動することで、図７に示すように、係合片５２の先端部は、突出部５３ｄを乗り上げ係合凹部５３ｅに係合する。係合片５２の先端部が係合凹部５３ｅに係合することで、蓋体７は、第２の操作部５を閉塞した状態に保持される。
【００４６】
以上のように構成されたチューナ１では、図７に示すように、蓋体７の裏面に設けた保持機構５１を構成する係合片５２をフロントパネル３の裏面に設けた弾性保持部材５３で係合保持するようにしたので、蓋体７のユーザの目視可能な位置に、保持機構の一部を設ける必要が無くなるので、蓋体７が第２の操作部５を開放した状態における見栄えを良くすることができる。
【００４７】
また、蓋体７に設けられる保持機構５１を構成する係合片５２は、蓋体７の基端側に設け、更に、パネル８で覆うようにしたので、蓋体７が第２の操作部５を開放したときにも、見えなくすることができる。
【００４８】
更に、第２の操作部５を開放するため蓋体７を回動操作するときにも、ユーザは、一度、押圧操作をし、押圧部材２１の押圧部３３が蓋体７の裏面を押圧する契機を設ければ、後は、捻りコイルバネ１６，１６の付勢力によって、回動されることから、操作性の向上を図ることができる。
【００４９】
以上の例では、第２の操作部５を蓋体７で閉塞する場合を説明したが、本発明では、第１の操作部４を蓋体で開閉するようにしてもよく、更に、第１の操作部４と第２の操作部５とを１つの蓋体で開閉するようにし、このような蓋体に保持機構を設けるようにしてもよい。
【００５０】
また、以上の例では、プラズマディスプレイパネルを用いた薄型ディスプレイのチューナ１を例に取り説明したが、本発明は、これに限定されるものではなく、液晶表示パネルを用いた薄型ディスプレイやその他、据え置き型の記録及び／又は再生装置のフロントパネル部分、ＣＲＴ（Ｃａｔｈｏｄｅ  Ｒａｙ  Ｔｕｂｅ）型の表示装置のフロントパネル部分等種々の電子機器に適用することができる。
【００５１】
【発明の効果】
本発明によれば、蓋体の裏面に設けた保持機構を構成する係合片を機器本体の前面に設けた弾性保持部材で係合保持するようにしたので、蓋体のユーザの目視可能な位置に、保持機構の一部を設ける必要が無くなり、蓋体が操作部を開放した状態における見栄えを良くすることができる。
【図面の簡単な説明】
【図１】本発明を適用したチューナの要部斜視図である。
【図２】上記チューナの前面部分の分解斜視図である。
【図３】蓋体を押圧する押圧部材の分解斜視図である。
【図４】上記押圧部材がフロントパネルに取り付けられた状態の要部断面図である。
【図５】蓋体が第２の操作部を閉塞した状態を示す要部断面図である。
【図６】蓋体が第２の操作部を閉塞した状態に保持する保持機構を構成する弾性保持部材の斜視図である。
【図７】蓋体が第２の操作部を開放した状態を示す要部断面図である。
【符号の説明】
１  チューナ、２  機器本体、３  フロントパネル、４  第１の操作部、５  第２の操作部、７  蓋体、８  パネル、１１  開閉機構、１２  回動支持部材、１５  軸体、１６  コイルバネ、２１  押圧部材、２３  移動体、２４  コイルバネ、２５  カム部材、３１  制御突起、３３  押圧部、５１  保持機構、５２  係合片、５３  弾性保持部材、５３ａ  取付部、５３ｂ  弾性変位部、５３ｃ  係合ガイド部、５３ｄ  突出部、５３ｅ  係合凹部、５３ｆ  被押圧部
【図１】
2004363951.tif 000003
【図２】
2004363951.tif 000004
【図３】
2004363951.tif 000005
【図４】
2004363951.tif 000006
【図５】
2004363951.tif 000007
【図６】
2004363951.tif 000008
【図７】
2004363951.tif 000009